(57)【特許請求の範囲】
【請求項１】
先端にペン先を形成した筆記部が、そのペン先を軸筒の先端開口を介して軸筒内外に移動できるように、上記軸筒に摺動可能に収容してなるキャップレス筆記具において、上記先端開口を介して軸筒内外に移動するペン先の挿抜によって弾性的に開閉されるペン先挿抜用スリットを、その先端開口を閉塞するための開口閉塞帯に形成しているとともに、その開口閉塞帯を、ペン先挿抜用スリットを上記先端開口に対向させた状態で軸筒先端に配設していること、そのペン先挿抜用スリットを覆うスリット被覆部を形成した被覆帯を上記開口閉塞帯に、これの先端面側から重合させていることを特徴とするキャップレス筆記具。
【請求項２】
開口閉塞帯及び被覆帯は、合成ゴムやエラストマー等の弾性材によって形成されている請求項１記載のキャップレス筆記具。
【請求項３】
開口閉塞帯と被覆帯とを一体に形成している請求項１又は２記載のキャップレス筆記具。
【請求項４】
軸筒の先端部には、開口閉塞帯及び被覆帯を固定するための帯固定部材が内設されている請求項１，２又は３記載のキャップレス筆記具。
【請求項５】
開口閉塞帯、被覆帯及び帯固定部材には、互いに係合する係合部がそれぞれ形成されている請求項４記載のキャップレス筆記具。
【発明の詳細な説明】
【０００１】
【発明の属する技術分野】
本発明は、ペン先のインクが乾燥しないようにしたキャップレス筆記具に関するものである。
【０００２】
【従来の技術】
従来、水性，油性のマーキングペン、水性ボールペンや万年筆等の各種筆記具においては、ペン先のインクが乾燥して筆記できなくなることを防止するために、軸筒の先端開口を密閉するためのキャップを設けている。
【０００３】
これに対して、上記キャップを着脱する煩雑さを回避するために、キャップを設けることなく、軸筒の先端開口を閉じる機構を設けた所謂キャップレス筆記具も数多く提案されている。
【０００４】
軸筒の先端開口を閉じる構成としては、実開昭５８−８９３９４号公報に記載されているキャップレス筆記具のように、軸筒内の先端部に配置された先軸先端部にペン先部を密閉する密閉部材を密嵌固定して、先軸の動作に伴ない密嵌部材の先端部を開閉するようにしたもの、また、特開平１−２８１９９９号公報に記載されているキャップレス筆記具のように、筆記部のペン先が収容されるシール室の先端側を開閉するシール手段を、軸筒の先端内部に形成したもの等がある。
【０００５】
【発明が解決しようとする課題】
しかしながら、上記従来のキャップレス筆記具では、いずれも狭い軸筒に先端開口を閉じるための複雑な機構を配設しているために、組立て作業の複雑化と高コスト化の要因となっている。
【０００６】
そこで本発明は、安価で簡易な構成によって軸筒の先端開口をしっかりと閉塞することができるとともに、組立て作業を容易にしかも短時間で行なえるキャップレス筆記具の提供を目的とするものである。
【０００７】
【課題を解決するための手段】
本発明は、先端にペン先を形成した筆記部が、そのペン先を軸筒の先端開口を介して軸筒内外に移動できるように、上記軸筒に摺動可能に収容してなるキャップレス筆記具において、上記先端開口を介して軸筒内外に移動するペン先の挿抜によって弾性的に開閉されるペン先挿抜用スリットを、その先端開口を閉塞するための開口閉塞帯に形成しているとともに、その開口閉塞帯を、ペン先挿抜用スリットを上記先端開口に対向させた状態で軸筒先端に配設していること、そのペン先挿抜用スリットを覆うスリット被覆部を形成した被覆帯を上記開口閉塞帯に、これの先端面側から重合させているものである。
これにより、ペン先を軸筒内に移動させているときには、その軸筒の先端開口を開口閉塞帯及び被覆帯により密閉しておくことができるとともに、ペン先を軸筒外に移動させるときには、ペン先挿抜用スリット及びスリット被覆部は、そのペン先挿抜用スリットにペン先を挿入されることにより開かれるので、開口閉塞帯が邪魔になることがない。
【０００８】
上記においては、開口閉塞帯及び被覆帯を、合成ゴムやエラストマー等の弾性材によって形成することができる。
また、開口閉塞帯と被覆帯とを一体に形成すると、加工や組み立てをより簡略化できる。
【０００９】
軸筒の先端部に、開口閉塞帯及び被覆帯を固定するための帯固定部材を内設することにより、開口閉塞帯と被覆帯の軸筒に対する固定を容易に行なえる。
【００１０】
開口閉塞帯，被覆帯及び帯固定部材に、互いに係合する係合部をそれぞれ形成することにより、それらの組み立てをさらに容易に行なえるようになる。
【００１１】
【発明の実施の形態】
以下、本発明の実施の形態について図面を参照して詳細に説明する。
図１は本発明の一実施形態に係るキャップレス筆記具を示しており、（Ａ）はペン先を軸筒内に移動させた状態の側面図、（Ｂ）はその正面図、図２（Ａ）は、図１（Ｂ）に示すＩ-Ｉ線に沿う断面図、（Ｂ）は図１（Ｂ）に示すＩＩ-ＩＩ線に沿う断面図、図３は、ペン先を軸筒外に移動させた状態を示すものであり、（Ａ）は図１（Ｂ）に示すＩ-Ｉ線に沿う断面と同じ部分の断面図、（Ｂ）は図１（Ｂ）に示すＩＩ-ＩＩ線に沿う断面と同じ部分の断面図、図４は帯固定部材を示しており、（Ａ）はその側面図、（Ｂ）はその正面図、図５は開口閉塞帯と被覆帯とを一体に形成した係合部材の展開図、図６は係合部材を折曲した状態を示すものであり、（Ａ）はその正面図、（Ｂ）はその裏面図、図７は、係合部材の他例を示す断面図、図８は、ペン先の断面図である。
【００１２】
本発明の一実施形態に係るキャップレス筆記具であるマーカーペンＡは、図１〜３に示すように、軸筒１、帯固定部材２、係合部材３及び筆記部４を主要の構成としているものである。
【００１３】
軸筒１は、これの先端部の所要範囲を、先端に向けて径細にした略円筒形に形成されており、その先端面には、詳細を後述する筆記部４に形成したペン先５を入出させられる大きさの先端開口１ａが、また、後端面には、先端開口１ａよりも大きな後端開口１ｂが形成されている。
【００１４】
軸筒１の先端部には、係合部材３とともに、これを係合固定した帯固定部材２が内設されている。
帯固定部材２は、図４に詳細を示すように、上記軸筒１の先端部内周面１ｃに当接する略円錐台形に形成されているとともに、これの先端にはペン先５を入出させられる大きさの開口２ａが、また、後端には、開口２ａよりも大きな開口２ｂが形成されている。
【００１５】
帯固定部材２の外周面には係合部材３を係合するための一対の帯係合溝６，６が形成されており、それらは、開口２ａを中心とする一定幅の溝部６ａ，６ａの後端に、詳細を後述する係合部材３を係合するための係合部６ｂ，６ｂを形成してなるものである。
係合部６ｂ，６ｂは、溝部６ａ，６ａの幅よりも大きな外径にした円形凹部６ｃ，６ｃの中心に、同じく円形の係合凸部６ｄ，６ｄ（いずれも一方は図示しない）を形成したものである。
【００１６】
係合部材３は、図５，６に示すように、合成ゴムやエラストマー等の弾性材を一体に形成したものであり、開口閉塞帯７と被覆帯８とからなる。
開口閉塞帯７は、上記軸筒１の先端開口１ａの直径よりもやや広い幅にした帯状部７ａの中央に、ペン先挿抜用スリット７ｂを、また、上記帯固定部材２の係合部６ｂ，６ｂに係合するリング形の係合部７ｃ，７ｃを両端に形成したものである。
【００１７】
ペン先挿抜用スリット７ｂは、上記合成ゴムやエラストマー等の弾性材の弾性力を利用して、ペン先５の挿抜によって開閉するように形成されているものであり、本実施形態においては、開口閉塞帯７に、これの長さ方向に引張力を加えない状態においても閉じた状態になるように形成している。なお、開口閉塞帯７に、これの長さ方向に引張力を加えたときにも、ペン先挿抜用スリット７ｂは閉じた状態になっている。
【００１８】
被覆帯８は、上記開口閉塞帯７の帯状部７ａと同じ幅にした帯状部８ａの中央に、ペン先挿抜用スリット７ｂよりも幅広の切欠き８ｃを形成するとともに、その切欠き８ｃの下縁中央に、ペン先挿抜用スリット７ｂに重合被覆するスリット被覆部８ｄを、また、帯状部８ａの両端に上記係合部６ｂ，６ｂに係合するリング形の係合部８ｅ，８ｅを形成したものである。なお、係合部７ｃ，７ｃと係合部８ｅ，８ｅは、同形同大のものである。
【００１９】
開口閉塞帯７と被覆帯８とは、互いの係合部７ｃ，７ｃ、８ｅ，８ｅの対向縁部で連結されており、それらを、連結部分で折り曲げて重合させることにより、互いの係合部７ｃ，７ｃ、８ｅ，８ｅ、帯状部７ａ，８ａどうしが当接重合する。この重合状態では、被覆帯８のスリット被覆部８ｄが開口閉塞帯７のペン先挿抜用スリット７ｂに密着して気密性をより高められるようになる。
【００２０】
互いに折り曲げた開口閉塞帯７と被覆帯８の帯状部７ａ，７ａ、８ａ，８ａを、被覆帯８が開口閉塞帯７の先端面側に位置するようにして、帯固定部材２の溝部６ａ，６ａに係合しながら、係合部７ｃ，７ｃ、８ｅ，８ｅを、帯固定部材２の係合部６ｂ，６ｂに係止する。これにより、係合部材３は、ペン先挿抜用スリット７ｂが軸筒１の先端開口１ａに対向し、かつ、長さ方向に引張力を加えられた状態で帯固定部材２に係合装着されるとともに、被覆帯８のスリット被覆部８ｄがペン先挿抜用スリット７ｂの先端面側に当接重合して密着する。
【００２１】
そして、上記帯固定部材２を、上記軸筒１の先端部内周面１ｃに当接させた状態で固定することにより、ペン先挿抜用スリット７ｂが先端開口１ａに対向した状態で、かつ、軸筒１の先端部内周面１ｃと帯固定部材２との間に係合部材３が挟持された状態で固着される。
【００２２】
前記筆記部４は、図１〜３に示すように、先端部４ａ′側を小径にしかつ後端部４ａ″側を大径にしたインクタンク部４ａの先端に、ペン先５を配設したものであり、それは、ペン先５を上記軸筒１の先端開口１ａから外部に突出させた筆記位置（イ）と、そのペン先５を軸筒１内に収納した収納位置（ロ）との間で摺動自在に支持されているとともに、上記軸筒１内の先端部に固定された帯固定部材２と、インクタンク部４ａの段差部４ｂとの間に介装されるコイルスプリング９によって、軸筒１の後端部側に向けて常時付勢されている。
【００２３】
ペン先５は、図８に示すように、これの後端部から先端部に向けて次第に細径となる先細形状に形成されており、本実施形態においては、外周面に断面略半円形の凸部５ａ…を等角度間隔で形成している。これにより、上記ペン先挿抜用スリット７ｂに対して、ペン先５を挿抜する際の摺接抵抗を低減させている。
【００２４】
次に、本発明の一実施形態に係るキャップレス筆記具Ａの作動状態について説明する。
まず、キャップレス筆記具Ａを使用しないときには、図１，２に示すように、ペン先５が収納位置（ロ）に位置するように筆記部４を移動させておく。
【００２５】
収納位置（ロ）では、ペン先５が軸筒１内に収納された状態になっているとともに、軸筒１の先端開口１ａは係合部材３の開口閉塞帯７によって閉塞され、かつ、ペン先挿抜用スリット７ｂには被覆帯８のスリット被覆部８ｄが重合被覆された状態になる。これにより、ペン先５のインクの乾燥を防止し若しくは最小限に止めることができる。
【００２６】
次に、前記キャップレス筆記具Ａを使用する場合、図３に示すように、ペン先５が筆記位置（イ）に位置するように筆記部４を移動させる。
ペン先５が筆記位置（イ）に向けて移動すると、その移動途中において、ペン先５は、係合部材３のペン先挿抜用スリット７ｂに挿入され、その挿入によって、ペン先挿抜用スリット７ｂは弾性的に開かれ、また、スリット被覆部８ｄは先端側に弾性的に屈曲した状態になるとともに、ペン先５は、軸筒１の先端開口１ａから外部に突出した状態になる。
【００２７】
筆記後、ペン先５を収納位置（ロ）に向けて移動させることにより、ペン先５がペン先挿抜用スリット７ｂから抜脱されるのに従って、ペン先挿抜用スリット７ｂが弾性的に閉じるとともに、スリット被覆部８ｄもペン先挿抜用スリット７ｂに密着した状態に弾性復帰し、軸筒１の先端開口１ａは再度閉塞された状態になる。
【００２８】
なお、本発明は前述した実施形態に限るものではなく、その要旨の範囲内で様々な変形実施が可能である。
図７に係合部材の他例を示す。
図７に示す係合部材３′は、合成ゴムやエラストマー等の弾性材からなるものであり、上記の開口閉塞帯と被覆帯とを一体成形しているものである。
その係合部材３′は、前記軸筒１の先端開口１ａの直径よりもやや広い幅にした帯状部９ａの中央部分に２枚の重合部分９′，９″を互いに分離して形成するとともに、上記帯固定部材２の係合部６ｂ，６ｂに係合するリング形の係合部９ｂ，９ｂを両端に形成したものである。
【００２９】
重合部分９′，９″は、これの長さ方向に引張力を加えたときに互いに重合するようになっており、それらのうちの重合部分９′には前述したものと同等のペン先挿抜用スリット９ｃを、また、他方の重合部分９″には前述したものと同等の切欠き９ｄを形成している。
このような構成の係合部材であれば、さらに安価に製造することができるので、コストを低減させる上で有効である。
【００３０】
上記においては、開口閉塞帯と被覆帯とを一体に形成した例について説明したが、それらを別体に形成してもよい。
【００３１】
また、開口閉塞帯又は係合部材の両端に係合部を形成したものを例示したが、そのような係合部を形成することなく、開口閉塞帯又は係合部材を軸筒の内周面又は外周面に接着剤等で直接接着するようにしてもよい。
【００３２】
上記においては、ペン先挿抜用スリットに摺接するペン先の外周面部分に、そのペン先の移動方向に延びる凸部を形成することにより、摺接抵抗を低減させて、筆記部の移動を弱い力で行なえるようにしたものを例として説明したが、ペン先挿抜用スリットに摺接するペン先の外周面部分に、そのペン先の移動方向に延びる凹部を形成してもよい。
【００３３】
【発明の効果】
請求項１〜５記載の発明によれば、ペン先を軸筒内に移動させているときには、軸筒の先端開口を開口閉塞帯により閉塞するとともに、その開口閉塞帯のペン先挿抜用スリットを被覆帯のスリット被覆部により被覆しておくことができ、しかも、ペン先を軸筒外に移動させるときには、ペン先挿抜用スリットにペン先が挿入されることにより開かれるとともに、被覆帯のスリット被覆部もそのペン先によって先端側に屈曲させられるので、安価で簡易な構成によって軸筒の先端開口をしっかりと閉塞しておくことができる。
さらに、開口閉塞帯と被覆帯とからなる簡易な構成にしているので、安価に提供することができるとともに、組立て作業を容易にしかも短時間で行なうことができる。
【００３４】
請求項１〜５記載の発明で得られる上記共通の効果に加え、各請求項記載の発明によれば次の効果を得ることができる。
【００３５】
請求項２記載の発明によれば、開口閉塞帯を、ゴムやエラストマー等の弾性材によって一体形成しているので、きわめて簡易な構成にすることができる。
【００３６】
請求項３記載の発明によれば、開口閉塞帯と被覆帯とを一体に形成しているので、加工や組み立てをより簡略化できる。
【００３７】
請求項４記載の発明によれば、軸筒の先端部に、開口閉塞帯及び被覆帯を固定するための帯固定部材を内設しているので、開口閉塞帯と被覆帯の軸筒に対する固定を容易に行なえる。
【００３８】
請求項５記載の発明によれば、開口閉塞帯，被覆帯及び帯固定部材に、互いに係合する係合部を形成しているので、それらの組み付けをさらに容易に行なえる。
【図面の簡単な説明】
【図１】本発明の一実施形態に係るキャップレス筆記具を示しており、（Ａ）はペン先を軸筒内に移動させた状態の側面図、（Ｂ）はその正面図である。
【図２】（Ａ）は、図１（Ｂ）に示すＩ-Ｉ線に沿う断面図、（Ｂ）は図１（Ｂ）に示すＩＩ-ＩＩ線に沿う断面図である。
【図３】ペン先を軸筒外に移動させた状態を示すものであり、（Ａ）は図１（Ｂ）に示すＩ-Ｉ線に沿う断面と同じ部分の断面図、（Ｂ）は図１（Ｂ）に示すＩＩ-ＩＩ線に沿う断面と同じ部分の断面図である。
【図４】帯固定部材を示しており、（Ａ）はその側面図、（Ｂ）はその正面図である。
【図５】開口閉塞帯と被覆帯とを一体に形成した係合部材の展開図である。
【図６】係合部材を折曲した状態を示すものであり、（Ａ）はその正面図、（Ｂ）はその裏面図である。
【図７】係合部材の他例を示す断面図である。
【図８】ペン先の断面図である。
【符号の説明】
１                軸筒
１ａ              先端開口
２                帯固定部材
４                筆記部
５                ペン先
６ｂ，７ｃ，８ｅ  係合部
７                開口閉塞帯
７ｂ              ペン先挿抜用スリット
８ｂ              スリット被覆部
８                被覆帯
【図１】
0004601192.tif 000002
【図２】
0004601192.tif 000003
【図３】
0004601192.tif 000004
【図４】
0004601192.tif 000005
【図５】
0004601192.tif 000006
【図６】
0004601192.tif 000007
【図７】
0004601192.tif 000008
【図８】
0004601192.tif 000009